(57)【要約】      （修正有）【課題】ラベルを剥がす場合は傾斜ミシン線の破断から横ミシン線の破断へとスムーズに移行させることができ、キャップ部を回転させて開封する場合は液体収納容器の開封時の痕跡が明瞭に確認でき、開封・未開封の識別が容易にできるラベルを提供する。【解決手段】胴部と胴部にねじ締結されたキャップ部とからなる容器をシールするために、実質的にキャップ部を覆う第１領域１Ａと胴部を覆う第２領域１Ｂとからなるラベルにおいて、第１領域と第２領域の境界に形成された横ミシン線１０と、横ミシン線からキャップ部の開封ねじり方向とは反対側へ斜め上方に傾斜して延びる傾斜ミシン線２０と、傾斜ミシン線の終端部に所定のミシン線を介してつながり、第１領域の上端部から突出形成されたつまみ部１ａと、傾斜ミシン線と所定のミシン線との連結部を起点として第１領域において傾斜ミシン線とは反対側に延長された延長ミシン線３０とを備える。【選択図】図１
2007320623.tif 000002
【特許請求の範囲】
【請求項１】
胴部と該胴部にねじ締結されたキャップ部とからなる容器をシールするために、実質的に前記キャップ部を覆うことになる第１領域と前記胴部を覆うことになる第２領域とからなるラベルにおいて、
前記第１領域と前記第２領域の境界に形成された横ミシン線と、
前記横ミシン線から前記キャップ部の開封ねじり方向とは反対側へ斜め上方に傾斜して延びる傾斜ミシン線と、
その傾斜ミシン線の終端部に所定のミシン線を介してつながり、前記第１領域の上端部から突出するように形成されたつまみ部と、
前記傾斜ミシン線と前記所定のミシン線との連結部を起点として前記第１領域において前記傾斜ミシン線とは反対側に延長された延長ミシン線とを備え、
前記キャップ部の開封ねじり作用により前記横ミシン線、前記傾斜ミシン線及び前記延長ミシン線に沿って破断が生じて、それら３つのミシン線で囲まれた部分が前記キャップ部からめくれ上がるようにされたことを特徴とするラベル。
【請求項２】
前記所定のミシン線は、
前記つまみ部の一方の側縁から前記傾斜ミシン線の終端につながるように形成されたつまみ部用第１ミシン線と、
前記つまみ部の他の側縁から前記傾斜ミシン線にはつながらないように中途で途切れるように形成されたつまみ部用第２ミシン線とを備える請求項１に記載のラベル。
【請求項３】
前記延長ミシン線は前記傾斜ミシン線の延長線上に位置するように前記横ミシン線に対して傾斜して形成され、
それら傾斜ミシン線と延長ミシン線とが一直線上に連なる請求項１または２に記載のラベル。
【請求項４】
前記延長ミシン線は前記傾斜ミシン線に対して所定の角度をなすように折れ曲がって形成された請求請求項１または２に記載のラベル。
【請求項５】
前記横ミシン線と前記傾斜ミシン線の接点領域における前記横ミシン線の１又は２以上の切部が、その長さが他の切部より短い短尺切部として形成されていることを特徴とする請求項１ないし４のいずれか１項に記載のラベル。
【発明の詳細な説明】
【技術分野】
【０００１】
本発明は、点眼薬容器などの液体収納容器に用いられるラベルに関する。
【背景技術】
【０００２】
従来より、胴部と該胴部に締結されたキャップ部とからなる点眼薬容器などの液体収納容器を包装するために用いるラベルとしては、キャップ部を覆っているラベルを開封後に簡単に取り除くことができるものが要求されている。そして、下記特許文献１には、胴部を覆う下領域とキャップ部を覆う上領域の境界に横ミシン線が形成され、上領域の端部のつまみ部から横ミシン線まで延びる傾斜ミシン線が設けられているシーリングラベルが開示されている。
【特許文献１】特許第３６０３２６３号公報
【０００３】
上記公報に記載されているシーリングラベルによれば、つまみ部を持ってシーリングラベルの上領域の傾斜ミシン線と横ミシン線を破断してシーリングラベルを剥がし、その後キャップ部をまわして２ステップの動作で開封したり、１ステップの動作でラベル包装されている容器のキャップ部を回転させ、シーリングラベルの横ミシン線を破断して開封することができる。
【発明の開示】
【発明が解決しようとする課題】
【０００４】
しかし、つまみ部を持ってシーリングラベルの上領域の傾斜ミシン線を破断させようとした場合、熱収縮性合成樹脂からなるシーリングラベルが円周方向に裂けてしまい、斜め下方に位置する次の切部に到達せず、開封不良となる問題がある。
【０００５】
また、キャップ部を回転させて１ステップで開封した場合、キャップ部を回転させるときの力のかけ具合により、傾斜ミシン線が全く破断せず横ミシン線だけが破断することがある。この場合、傾斜ミシン線が破断されないままキャップ部を元に戻すと、開封の痕跡が明瞭に確認できない問題がある。点眼薬容器などの容器においては、何者かの悪質ないたずらによる改竄を防止するために、開封・未開封の識別が目視で容易に行えるものが望まれている。
【０００６】
本発明は、上記問題に鑑みてなされたものであり、つまみ部を持ってラベルを剥がす場合は傾斜ミシン線の破断から横ミシン線の破断へとスムーズに移行させることができ、１ステップでキャップ部を回転させて開封する場合は液体収納容器の開封時の痕跡が明瞭に確認でき、開封・未開封の識別が容易にできるラベルを提供することを目的とする。
【課題を解決するための手段・発明の効果】
【０００７】
上記課題を解決するため、本発明のラベルは、胴部と該胴部にねじ締結されたキャップ部とからなる容器をシールするために、実質的にキャップ部を覆うことになる第１領域と胴部を覆うことになる第２領域とからなるラベルにおいて、
第１領域と第２領域の境界に形成された横ミシン線と、
横ミシン線からキャップ部の開封ねじり方向とは反対側へ斜め上方に傾斜して延びる傾斜ミシン線と、
その傾斜ミシン線の終端部に所定のミシン線を介してつながり、第１領域の上端部から突出するように形成されたつまみ部と、
傾斜ミシン線と所定のミシン線との連結部を起点として第１領域において傾斜ミシン線とは反対側に延長された延長ミシン線とを備え、
キャップ部の開封ねじり作用により横ミシン線、傾斜ミシン線及び延長ミシン線に沿って破断が生じて、それら３つのミシン線で囲まれた部分がキャップ部からめくれ上がるようにされたことを特徴とする。
【０００８】
上記本発明によれば、キャップ部を回転させて開封する場合は、キャップ部の回転によって横ミシン線が破断するときに、固定された第２領域に対して回転する第１領域は、その傾斜ミシン線の傾斜方向がキャップ部の開封ねじり方向に対して斜め下方に傾斜して形成されているから、第１領域の傾斜ミシン線が形成されている側では傾斜ミシン線から、また、第１領域の傾斜ミシン線が形成されていない側では、横ミシン線から破断が開始される。よって、ラベルが破断されてキャップ部を取り外した時には、横ミシン線とともに傾斜ミシン線及び傾斜ミシン線から延長された延長ミシン線も破断していることになる。このため、１度開栓されたキャップ部を元に戻してキャップ部を閉じたときには、横ミシン線、傾斜ミシン線及び延長ミシン線で囲まれた部分が破断片として容器からめくれ上がる。この時、延長ミシン線も破断することによって、より大きな破談片として容器から浮き上がらせることができる。したがって、何者かがキャップ部を回転させて開栓した後にキャップ部を元に戻すような悪質ないたずらをした場合でも、使用者は、この破断片を目印としてキャップの開封・未開封が明瞭に確認することができ、改竄行為を効果的に防止することができる。
【０００９】
また、所定のミシン線は、
つまみ部の一方の側縁から傾斜ミシン線の終端につながるように形成されたつまみ部用第１ミシン線と、
つまみ部の他の側縁から傾斜ミシン線にはつながらないように中途で途切れるように形成されている。これによって、つまみ部を持ってラベルの第１領域を破断する場合、つまみ部の側縁からつまみ部用第１ミシン線とつまみ部用第２ミシン線とが形成されていることによって、第１領域を破断する際の抵抗が小さくなり、ミシン線に沿って破断しやすくなる。
【００１０】
また、延長ミシン線は傾斜ミシン線の延長線上に位置するように横ミシン線に対して傾斜して形成され、
それら傾斜ミシン線と延長ミシン線とが一直線上に連なるように形成されている。この構成によって、傾斜ミシン線及び延長ミシン線が第一領域を開封ねじり方向に対して斜め下方に傾斜して大きく形成されるため、力のかかりがスムーズになり、延長ミシン線及び傾斜ミシン線が破断しやすくなる。
【００１１】
また、延長ミシン線は傾斜ミシン線に対して所定の角度をなすように折れ曲がって形成されるように構成すると、回転方向のねじれによる破断力が作用しやすいラベルとなる。
【００１２】
また、横ミシン線と傾斜ミシン線の接点領域における横ミシン線の１又は２以上の切部が、その長さが他の切部より短い短尺切部として形成することができる。キャップ部を回転させて開封しようとすると、横ミシン線と傾斜ミシン線に沿って開封させる破断力が作用する。この時、横ミシン線において、横ミシン線と傾斜ミシン線の接点領域部分に短尺切部を連続させて形成することによって、単位長さに対する不切部の数が多くなり、その部分が破断に対する抵抗となる。そのため、短尺切部でない通常の切部で形成される傾斜ミシン線の方が横ミシン線より破断されやすくなる。このように、傾斜ミシン線が破断されやすい構成とすることにより、横ミシン線、傾斜ミシン線及び延長ミシン線が破断されて、これら３つのミシン線で囲まれた部分が破断片として容器からめくれ上がるラベルを得る。
【発明を実施するための最良の形態】
【００１３】
以下、本発明の実施の形態を、図面を用いて説明する。本実施例は、主として点眼薬に用いるラベルについて例示しているが、本発明はこれらに限定されるものではなく、特許請求の範囲を逸脱しない限りにおいて、当業者の知識に基づく種々の変更が可能である。
【００１４】
図１は、本発明に係るラベル１の展開正面図である。ラベル１は、熱収縮性の合成樹脂からなり、長方形状のフィルムまたはシートとして成形されている。このラベル１は、上半分の第１領域１Ａと、下半分の第２領域１Ｂとを備えている。そして、第１領域１Ａと第２領域１Ｂの境界には、境界に沿って横ミシン線１０が形成されている。
【００１５】
第１領域１Ａには、横ミシン線１０から斜め上方に傾斜する傾斜ミシン線２０と、その傾斜ミシン線２０の終端部に所定のミシン線を介してつながり、第１領域１Ａの上端部から突出するように形成されたつまみ部１ａと、傾斜ミシン線２０と所定のミシン線との連結部から傾斜ミシン線２０とは反対側に延長する延長ミシン線３０が形成されている。また、つまみ部１ａから傾斜ミシン線２０につながる所定のミシン線は、つまみ部１ａの一方の側縁から傾斜ミシン線２０の終端につながるように形成されたつまみ部用第１ミシン線４０と、つまみ部１ａの他の側縁から第１領域１Ａの中途位置まで形成されたつまみ部用第２ミシン線５０とされている。
【００１６】
また、第２領域１Ｂの表面または裏面には、図示しないが、例えば、収納された液薬の薬品名、商品名、製造元、販売元、容器・ラベルの材質、使用期限、製造番号等の法定表示が適宜記載された印刷層を設けることができ、第２領域１Ｂの裏面に接着剤が適宜の箇所に塗布されている。
【００１７】
横ミシン線１０は、切部１１と不切部１２とが交互に形成されている。図２の拡大図に示すように、傾斜ミシン線２０に対して鈍角側に形成される横ミシン線１０の切部１１を、切部１１の先端を始点として所定の屈曲角度で形成された斜め切部１３とからなるＶ字状切部１４として形成してもよい。また、傾斜ミシン線２０に対して鋭角側の横ミシン線１０の切部を、切部１５の先端を始点として所定の屈曲角度で形成された斜め切部１７、１８とからなるＹ字状切部１９と、不切部１６とをそれぞれ交互に形成することができる。傾斜ミシン線２０との接点部分は、切部６１の先端から所定の屈曲角度で斜め切部６２が形成されその先端から所定の屈曲角度で形成された斜め切部６３、６４とからなる変形切部６５として形成することができる。
【００１８】
傾斜ミシン線２０は、切部２１と不切部２２とが交互に形成されている。切部２１は、切部２１の先端を始点として所定の屈曲角度で形成された斜め切部２３とからなるＶ字状切部２４として形成してもよい。
【００１９】
延長ミシン線３０は、切部３１と不切部３２とが交互に形成されている。切部３１は、切部３１の先端を始点として所定の屈曲角度で形成された斜め切部３３とからなるＶ字状切部３４として形成することができる。
【００２０】
そして、つまみ部１ａのそれぞれの側縁から延びるつまみ部用第１ミシン線４０及びつまみ部用第２ミシン線５０は、切部４１、５１と不切部４２、５２とによって形成されている。この時、つまみ部用第２ミシン線５０を傾斜ミシン線２０につながるように伸ばして形成すると、つまみ部１ａから続く帯体のみが切除されて分離してしまうので、つまみ部用第２ミシン線５０は傾斜ミシン線２０に接しない程度の中途で途切れるように形成されている。なお、つまみ部用第２ミシン線５０の端部から所定の屈曲角度で補助ミシン線５３を第１領域１Ａの中途位置まで形成してもよい。
【００２１】
図３に示すように、ラベル１は、点眼薬容器２の周側面に巻き回して取付けられ、熱収縮によって点眼薬容器２の形状に密着するように包装される。すなわち、ラベル１を点眼薬容器２に対して一端から巻き始め、一周してラベル１の重なり部同士を重ねて接着させる。このように点眼薬容器２を包装すると、第１領域１Ａはキャップ部４を、第２領域１Ｂは胴部３を覆う。そして、横ミシン線１０が点眼薬容器２のキャップ部４と胴部３の境界として点眼薬容器２を周回するように構成されている。
【００２２】
図４は、点眼薬容器２のキャップ部４を回して開封した状態を示した図である。点眼薬容器２を１ステップでキャップ部４を回転させて開封する場合、キャップ部４の回転によって横ミシン線１０に沿って回転方向にねじられて破断力が作用し、横ミシン線１０は切断し始める。また、傾斜ミシン線２０に対しても回転方向にねじれが伝わって破断力が作用し、傾斜ミシン線２０が切断し始める。この時、回転される第１領域１Ａと固定される第２領域１Ｂにおいて、第１領域１Ａに形成された傾斜ミシン線２０の傾斜方向がキャップ部４の回転方向に対して斜め下方に傾斜して形成されているため、第１領域１Ａの傾斜ミシン線２０が形成されている側では傾斜ミシン線２０から破断され、また、第１領域１Ａの傾斜ミシン線２０が形成されていない側では、横ミシン線１０から破断される。よって、キャップ部４が開封されて横ミシン線１０がすべて切断された時には、横ミシン線１０に接続する傾斜ミシン線２０は切断されており、傾斜ミシン線２０が切断されず横ミシン線１０のみが切断されることを防ぐ。
【００２３】
そして、傾斜ミシン線２０から延長する延長ミシン線３０によって第１領域１Ａを切断するミシン線が大きく形成され、回転方向へのねじれによる破断力が作用しやすくなって、延長ミシン線３０及び傾斜ミシン線２０に沿ってラベルが大きく破断される。
【００２４】
このように、横ミシン線１０、傾斜ミシン線２０及び延長ミシン線３０が破断することによって、これらに囲まれた部分が破断片６０として点眼薬容器２からめくれ上がる。そして、破断片６０がめくれ上がることによって開栓の痕跡を明確に残すことができ、使用者は破断片６０の有無を目視にて確認するだけで、キャップの開栓・未開栓を容易に識別することができる。
【００２５】
図２に示すように、横ミシン線１０の一部の切部１１をＶ字状切部１４として形成すると、回転方向のねじれが伝わりやすくなり、より効果的に切断される。そして、横ミシン線１０の一部の切部１１をＹ字状切部１９として形成した場合、Ｙ字状切部１９と交互に形成される不切部１６は、ミシン線を成形する金型の特性から通常の切部を形成した場合の不切部の長さよりも大きく成形される。このため、不切部１６が傾斜ミシン線２０の不切部２２の長さよりも大きくなりその部分が破断に対する抵抗となる。したがって、傾斜ミシン線２０及び延長部５０の方が横ミシン線１０より破断されやすくなる。
【００２６】
次に、つまみ部１ａを持ってラベル１を開封する際は、図２に示すように、つまみ部１ａのそれぞれの側縁から延びるミシン線がつまみ部用第１ミシン線４０及びつまみ部用第２ミシン線５０の２本となっているためラベルを破断する際の抵抗が小さくなり、ミシン線に沿って切断しやすくなる。そして、補助ミシン線５３が第１領域１Ａの途中までしか形成されていないため、つまみ部用第２ミシン線５０側では補助ミシン線５３の下端部でひっかかり、つまみ部用第１ミシン線４０側は傾斜ミシン線２０の破断と傾斜ミシン線２０から続く横ミシン線１０の破断へとスムーズに移行することができる。
【００２７】
上記のようにつまみ部１ａを持って傾斜ミシン線２０を破断させるとき、円周方向に力がかかり裂けやすいが、傾斜ミシン線２０がＶ字状切部２４によって形成されていると、円周方向に破断しても斜め切部２３に裂け目がつながり、不切部２２を切断して次のＶ字状切部２４に連続して破断させることができる。そして、横ミシン線１０の破断に移行すると、つまみ部１ａを持って引っ張るため上方向に力がかかりやすく裂けやすくなる。しかし、横ミシン線１０がＶ字状切部１４によって形成されていると、斜め上方向に破断しても斜め切部１３に裂け目が繋がり、次のＶ字状切部１４に連続して破断させることができる。また、横ミシン線１０の破断が進んで傾斜ミシン線２０との接点部分に近づくにつれて、ラベルを破断させる力が下方向にかかり斜め下方向に裂けやすい。しかし、Ｙ字状切部１９で形成されていると、斜め上方向や斜め下方向に破断しても斜め切部１７、１８に裂け目がつながり、次のＹ字状切部１９に連続して破断させることができる。このような構成によって、傾斜ミシン線２０から横ミシン線１０に沿って一周させ、キャップ部４を覆うラベル１の第１領域１Ａを簡単に剥離させて開封することができる。
【００２８】
また、横ミシン線１０と傾斜ミシン線２０との接点部分が変形切部６５として形成されていると、傾斜ミシン線２０からの破断を横ミシン線１０の破断につなげることができ、接点部分における開封不良を防ぐ。
【００２９】
次に、本発明の別の実施形態について説明する。ここで、上記実施形態と同様の部材は、同一の符号を付して説明を省略する。
図５は第２実施形態におけるラベルの展開正面図である。延長ミシン線３０は傾斜ミシン線２０に対して所定の角度をなすように折れ曲がって形成されている。このような構成によれば、キャップ部４を回して開封する場合に、回転方向のねじれによる破断力が作用しやすく力のかかりがスムーズとなり、傾斜ミシン線２０及びそれに続く延長ミシン線３０に沿って破断させることができる。また、延長ミシン線３０を横ミシン線１０と平行に形成することも可能である。この構成では、キャップ部４を回転させて開封するとき、回転によるひねりによって延長ミシン線３０と横ミシン線１０が破断され、更に、傾斜ミシン線２０へ破断力が作用して、傾斜ミシン線２０を破断させることができる。さらに、別の形態として、延長ミシン線３０を湾曲させて曲線状に形成することも可能であり、このような構成によっても最適な破断性を得ることができる。
【００３０】
次に、図６に第３実施形態を示す。図１の構成では、延長ミシン線３０は傾斜ミシン線２０とつまみ部用第１ミシン線４０との連結部から切部３１と不切部３２とが一直線上に形成されているが、図６の構成に示すように、延長ミシン線３０の最後の切部を切部３５として所定の角度で折れ曲がるように形成してもよい。この構成により、延長ミシン線３０の破断が切部３５で終わり、これ以上避けてしまうことを防ぐ。
【００３１】
また、第４の実施形態として、図７に示すように、横ミシン線１０と傾斜ミシン線２０の接点領域における横ミシン線１０の一部の切部を、切部１１の長さＤより短いｄを長さとした短尺切部１１ａとして形成することもできる。この構成では、横ミシン線１０は切部１１と不切部１２が連続して形成されており、横ミシン線１０と傾斜ミシン線２０の接点領域では短尺切部１１ａと不切部１２が連続して形成されている。一方、傾斜ミシン線は、切部２1と不切部２２とが連続して形成されている。このとき、横ミシン線１０が短尺切部１１ａによって形成された部分では、単位長さに対する不切部１２の数が多くなり、短尺切部１１ａが連続する部分が破断に対する抵抗となる。そのため、短尺切部１１ａでない通常の切部で形成される傾斜ミシン線２０の方が横ミシン線１０より破断されやすくなり、傾斜ミシン線２０が切断されず横ミシン線１０のみが切断されることを防ぐことができる。なお、横ミシン線１０において、抵抗となるように短尺切部１１ａを配置した形態は、本実施形態に限定されるものではない。
【００３２】
この発明は、例えば、使用者がつまみ部１ａを持ってラベル１を開封しようとするとき、単一動作でスムーズにラベル１を剥がし除去することができる。また、このラベル１で包装された点眼薬容器２を、そのままキャップ部４を回して開封することも可能であり、その際、開封時の痕跡として破断片６０が容易に視認でき、修復ができないことから改竄防止に役立つものである。
【図面の簡単な説明】
【００３３】
【図１】本発明の第１実施形態におけるラベルの展開正面図。
【図２】図１のラベルのミシン線の形態を示す拡大図。
【図３】ラベルで包装した容器を示す外観斜視図。
【図４】容器のキャップを回して開封した状態を示す外観斜視図。
【図５】本発明の第２実施形態におけるラベルの展開正面図。
【図６】本発明の第３実施形態を示す拡大図。
【図７】本発明の第４実施形態を示す拡大図。
【符号の説明】
【００３４】
１      ラベル
１Ａ    第１領域
１Ｂ    第２領域
１ａ    つまみ部
２      点眼薬容器
３      胴部
４      キャップ部
１０    横ミシン線
１１、１５、２１、３１、４１、５１    切部
１２、１６、２２、３２、４２、５２    不切部
１３、１７、１８、２３  斜め切部
１４、２４    Ｖ字状切部
１９    Ｙ字状切部
２０    傾斜ミシン線
３０    延長ミシン線
４０    つまみ部用第１ミシン線
５０    つまみ部用第２ミシン線
５３    補助ミシン線
６０    破断片
【図１】
2007320623.tif 000003
【図２】
2007320623.tif 000004
【図３】
2007320623.tif 000005
【図４】
2007320623.tif 000006
【図５】
2007320623.tif 000007
【図６】
2007320623.tif 000008
【図７】
2007320623.tif 000009